(57)【要約】【課題】ダイビング中により多くの情報機能とセンサーを備えたコンピュータと該コンピュータを水中で操作できるケースを提供する。【解決手段】コンピュータ部、該コンピュータに取り付けられた圧力センサー、Ａ／Ｄ変換器、位置認識センサーを具備し防水ケースに入れ水中で陸上と同じく使用できることを特徴とする。【選択図】　　　　図１
2004021971.tif 000002
【特許請求の範囲】
【請求項１】
防水ケース（１）に汎用コンピュータ（２）を収納し汎用コンピュータの操作を陸上と同じように水中でケース外部より操作出来るようにした防水耐圧型コンピュータケース（１）。
【請求項２】
防水耐圧型コンピュータケース（１）内部に汎用小型コンピュータ（２）、圧力センサー（３）、Ａ／Ｄ変換器（４）を封入したダイバーズコンピュータ。
【請求項３】
ケース内部の圧力を測定し水深を計算しコンピュータ画面に表示する。
【請求項４】
ケース内部に固定された圧力センサー（３）の感圧部に接する部分のケース肉厚を薄くして水圧による押力を測定または、感圧部を水中に突出させて圧力を測定し水深を計算しコンピュータ画面に表示する。
【請求項５】
水中でケース外部からコンピュータの画面窓（５）をスタイラスで操作し、手書きメモや絵を書くことが出来るもの。
【請求項６】
ケース（１）の内圧を外圧と自動バランスさせるため一部または複数部にケース内側に凹む可動板（６）を設備し、内部圧力上昇メカニズムによって、外圧からケース（１）を保護する。
【請求項７】
ケース内部に入れたコンピュータの画面にはダイビングに必要なデータを表示し、コンピュータの入水から出水までの時間、水深、位置のデータを記録する。このデータは陸上でパソコン又は他のコンピュータに転送し、各種帳票類の作成に使用できる。
【請求項８】
ダイバーズコンピュータ側に光、超音波送受信ユニット（１２）を付加する。該ユニットの送信部から光、超音波信号を同時に発信し、基地部に設置した光、超音波受信センサー（１３）で受信し、信号処理をして距離と方向を算出し、算出結果を基地側の超音波送信ユニットからダイバーに向かって送信する。ダイバーズコンピュータ側では光、超音波送受信ユニット（１２）の超音波受信部を介して信号をコンピュータにインプットし、基地からの自分の距離と方向および深度をコンピュータ画面上に表示、または海底地図と共に表示する。
【請求項９】
現在のダイビング中の海底地図、必要な知識、ダイビング情報、ダイビングポイント、水中生物図鑑、を水中でコンピュータ画面に表示する。
【請求項１０】
ダイバーの体内に残った溶存窒素が体内で気化するような危険なダイビングを防ぐために音と振動による警報装置を設備したコンピュータ。
【請求項１１】
このコンピュータシステムは従来のダイブコンピュータ、ダイビングウォッチあるいはダイビングコンピュータのような単能機ではなく、水中での汎用コンピュータであるから名称を「ダイバーズコンピュータ」とする。
【請求項１２】
基地ではダイバーズコンピュータから発信する光、超音波にダイバーズコンピュータで測定した深度を乗せて発信した信号を受信し、ダイバーの方向、距離、深度を受信しダイバーの位置を立体的に認識できる。
【請求項１３】
請求項６．のケース内部圧力上昇メカニズムをカメラ、ビデオカメラ、その他の精密機器の水中用防水ケースとしても使用する。
【発明の詳細な説明】
【０００１】
【発明に属する技術分野】
本発明は汎用小型コンピュータ（２）を陸上と同じように水中で操作し、コンピュータ画面を利用して水中で筆話が出来る、さらにダイビング中の自分の位置を海底地図と共に画面に表示し、ダイビング中の時間、軌跡、深度、平面位置を記録に残すダイビングレコーダー。
【０００２】
【従来の技術】
従来のダイビングコンピュータは深度のみを計測し危険な浮上に対しての警報をダイバーに知らせるだけの単能機であり、ダイビング中の深度、時間だけのログデータの記録をするものである。
【０００３】
【発明が解決しようとする課題】
ダイバーは水中で自分の現在の環境を的確に把握するデータが足りず、たとえば、自分の現在位置がわからないこと、他のダイバーとのコミュニケーションが取りずらいことから孤独の世界に入り込みパニック状態になり事故に陥りやすいという課題がある。
【０００４】
本発明はこのような点に鑑み前記課題を解決した多機能のダイバーズコンピュータを提供せんとするものである。
【０００５】
【課題を解決するための手段】
前記目的を達成するため本発明のダイバーズコンピュータはオペレーティングシステムで動作する汎用小型コンピュータ、ケース外部よりコンピュータの操作を陸上と同様に操作出来ることを特徴とする。
【０００６】
コンピュータに合わせた各種ボタン（７）をケースに配列する、防水を完全にするため、この操作用ボタンはケース外側と内側に突起（７）を設備し、ボタン周辺に肉薄部（１１）を設け一体に成型する、または、プランジャー機構にしてボタンがケース面と直角方向に可動出来るようにしてコンピュータを操作する。
【０００７】
ケース内に圧力計（３）を設備または、ケース内から感圧部を外部にさらすようにして、圧力信号をデジタル変換してコンピュータにインプットする。
【０００８】
前記圧力を測定し水中深度を計算してダイビング中の体内における血中、脳細胞、脂肪細胞、骨、間接部、その他の器官の溶存窒素を計算し安全な浮上指示、危険な浮上に対しての警報を音と振動で知らせる。そのためのすべてのデータを画面に表示し、さらにダイビング中の必要データをコンピュータ（２）に記録する。
【発明実施の形態】
本発明は汎用コンピュータ、圧力センサー（３）、Ａ／Ｄ変換器（４）深度測定器、光、超音波受発信ユニット（１２）、を一緒に防水耐圧ケースに入れ水中で使用出来るようにした。さらに、ブイなどの基地側に光、超音波受信センサー（１３）、および光、超音波発信ユニット（１４）を設置してダイバーズコンピュータと通信が出来るようにした。
【０００９】
スタイラスで価面を操作するためにコンピュータ画面と密着するケース部は薄く成型し、内側にはコンピュータ画面のビット数に適合した突起を配列する図２（Ｃ）。
【００１０】
防水耐圧ケース（１）の一部又は複数部をケース内側に凹むようにうすく成型又はダイアフラム式のケース内側に凹む可動板（６）を設備し、水深に比例して自動的にケース内圧を上げケースを外圧から保護する。
【００１１】
基地に於いては、ダイバーからの光、超音波の到達時間差を計ることにより基地からダイバーまでの距離を測定する。
【００１２】
ケース（１）はコンピュータ前面部（８）と裏面部（９）と二つに分かれゴム製のオーリング（１０）をはさんで前面部、裏面部を圧接する。
【発明の効果】
以上の通り、本発明によれば次のような効果を奏する。
▲１▼ダイバーは深度だけでなく自分の位置をコンピュータ画面で確認できる。
▲２▼コンピュータで筆話が出来るためダイバー間のコミュニケーションが大幅に広がる。
▲３▼ダイビング中に大量の情報をダイバーに供給できる。
▲４▼ダイバーの孤独感、不安感を大幅に減少出来るため、安全なダイビングをすることができる。
▲５▼基地の方向、距離をダイバーに知らせることが出来る。
【図面の簡単な説明】
【図１】本発明の斜視図
【図２】（ａ）本発明の正面図である。
（ｂ）本発明の中央縦断面図である。
（ｃ）コンピュータ操作用のケースに設備したボタンの断面図である。
【図３】コンピュータ操作用にケースに設備したボタンの断面図である。
【図４】基地とダイバーズコンピュータの交信図。
【符号の説明】
１　本発明のケース。
２　汎用小型コンピュータ。
３　圧力センサー。
４　Ａ／Ｄ変換器。
５　ケースのコンピュータ画面用窓。
６　圧力調整用可動板。
７　ケースのコンピュータ操作ボタン。
８　前面部ケース。
９　裏面部ケース。
１０　オーリング。
１１　ボタン周辺の肉薄部。
１２　光、超音波送受信ユニット。
１３　光、超音波の受信センサー。
１４　光、超音波の発信ユニット。
１５　ダイビングコンピュータからブイ（基地）への光、超音波信号の径路。
１６　ブイからダイビングコンピュータへの信号径路。
【図１】
2004021971.tif 000003
【図２】
2004021971.tif 000004
【図３】
2004021971.tif 000005
【図４】
2004021971.tif 000006